(57)【特許請求の範囲】
【請求項１】
シート状に形成された柔軟な本体（１）の両眼に相当する位置に各々複数の小孔（２）を有し、この本体（１）の裏側に肉厚を有し輪状又はｃ状に形成された当て部材（４）を有すると共に、この本体（１）の両端に１対のめがねつる（７）を有し、このめがねつる（７）を耳にかけて用いるようにしたアイマスクにおいて、前記本体（１）の両端に形成された１対の曲折状の耳部（３）と、前記当て部材（４）の両端の曲折部（５）の外側に形成された１対の補助耳部（６）と、前記当て部材（４）の両端側に形成された穴（１０）と、前記本体（１）の両側に形成された係止孔（１０ａ）と、前記めがねつる（７）の基部（７ａ）に形成された突部（９）とを備え、前記基部（７ａ）は前記耳部（３）及び補助耳部（６）に固定され、前記突部（９）は前記穴（１０）及び係止孔（１０ａ）に係合し、前記突部（９）は前記本体（１）の表面に突出している構成よりなることを特徴とするアイマスク。
【請求項２】
前記めがねつる（７）の後部にストッパ（２０）が設けられ、前記ストッパ（２０）が前記耳の後部に位置することにより、前記めがねつる（７）の前記耳への位置決めを行う構成としたことを特徴とする請求項１記載のアイマスク。
【請求項３】
前記ストッパ（２０）は、移動自在に設けられていることを特徴とする請求項２記載のアイマスク。
【請求項４】
前記ストッパ（２０）は、柔軟な０リング（１１）と、前記０リング（１１）に挿入された柔軟な筒体（１２）からなることを特徴とする請求項３記載のアイマスク。
【発明の詳細な説明】
【０００１】
【発明の属する技術分野】
本発明は、アイマスクに関し、特に、めがねつるを本体に対して直角状に接続すると共に、めがねつるにストッパを設けて耳への固定を確実にするための新規な改良に関する。
【０００２】
【従来の技術】
従来、用いられていたこの種のアイマスクは種々あるが、その中で、めがねつるを設けるアイマスクにおいては、めがねつるの基部が本体に一体に接続されおり、他の手段としては線で作られた輪が用いられていた。
【０００３】
【発明が解決するための手段】
従来のアイマスクは、以上のように構成されていたため、次のような課題が存在していた。すなわち、めがねつるが本体の端部にかしめによって一体に接続されているのみであるため、アイマスクを机上においた場合、本体と同じ方向にめがねつるが位置し、全体がコの字型とすることは不可能であった。また、このめがねつると耳との収まりが悪く、アイマスクが耳からはずれることがあった。また、輪の場合は形がまとまらず、使い勝手が悪かった。
【０００４】
本発明は、以上のような課題を解決するためになされたもので、特に、めがねつるを本体に対して直角状に接続すると共に、めがねつるにストッパを設けて耳への固定を確実にするようにしたアイマスクを提供することを目的とする。
【０００５】
【課題を解決するための手段】
本発明によるアイマスクは、シート状に形成された柔軟な本体の両眼に相当する位置に各々複数の小孔を有し、この本体の裏側に肉厚を有し輪状またはｃ状に形成された当て部材を有すると共に、この本体の両端に１対のめがねつるを有し、このめがねつるを耳にかけて用いるようにしたアイマスクにおいて、前記本体の両端に形成された１対の曲折状の耳部と、前記当て部材の両端の曲折部の外側に形成された１対の曲折状の補助耳部と、前記当て部材の両端側に形成された穴と、前記本体の両側に形成された係止孔と、前記めがねつるの基部に形成された突部とを備え、前記基部は前記耳部及び補助耳部に固定され、前記突部は前記穴及び係止孔に係合し、前記突部は前記本体の表面に突出している構成である。
【０００６】前記めがねつるの後部にストッパが設けられ、前記ストッパ（２０）が前記耳の後部に位置することにより、前記めがねつる（７）の前記耳への位置決めを行うようにした構成である。
【０００７】
さらに、前記ストッパは、移動自在に設けられている構成である。
【０００８】
さらに、前記ストッパは、柔軟な０リングと、前記０リングが挿入された柔軟な筒体とからなる構成である。
【０００９】
【発明の実施の形態】
以下、図面と共に本発明によるアイマスクの好適な実施の形態について詳細に説明する。
図１はアイマスクの全体構成を示すもので、ビニール等の柔軟なシート状の本体１には、両眼に相当する位置に各々複数の小孔２が設けられている。この本体１の両端には１対の耳部３が曲折状に形成され、この本体１の裏側にはウレタン等の材料からなり肉厚を有すると共に本体１と同じ形状の当て部材４が設けられている。この当て部材４は、図１の点線で示すように、両眼に相当する位置を避けて輪状又はｃ状に構成され、この当て部材４の両端には、曲折部５を介して１対の補助耳部６が曲折自在に形成されている。
【００１０】
前記耳部３及び補助耳部６には板状のめがねつる７がかしめ部８によって回動自在に接続されており、このめがねつる７の基部７ａに形成された１対（数は２個以上でも可）のかぎ状の突部９が当て部材４の前記曲折部５あるいはその内側に形成された穴１０及び前記本体１の両側に形成された係止孔１０ａを貫通して着脱自在に係合され、この突部９が穴１０及び係止孔１０ａの外側に突出して抜け止めが達成されている。従って、この突部９は本体１の表面に突出している。従って、この耳部３及び補助耳部６に固定されためがねつる７の基部７ａが当て部材４の曲折部５あるいはその内側に係合しているため、各耳部３，６，はほぼ直角状に曲折された状態を保つことができ、アイマスクを机上においた状態では図１のように本体１及び当て部材４の長手方向に対してめがねつる７をほぼ直交するようにコ字形を保つように構成されている。
【００１１】
前記各めがねつる７の後部には、各々ストッパ２０が移動自在に設けられ、このストッパ２０は、ビニール等からなる柔軟な０リング１１と、この０リング１１にビニール等からなる筒体１２とが嵌合されており、この０リング１１と筒体１２とで形成された孔部１１ａにめがねつる７の後部が貫通されている。
また、この筒体１２を矢印Ａに沿って移動させることにより孔部１１ａの締めを調節することができる。従って、このストッパ２０が耳の後部に位置することにより、めがねつる７の耳への位置決めを確実に達成することができる。なお前述の各めがねつる７は、突部９と穴１０との係合を解除すると各めがねつる７は互いに内側に回動でき、全体を薄形にたたむことができる。また、このストッパ２０は他の形状とすることも出来る。
【００１２】
【発明の効果】
本発明によるれば、めがねつるが本体に対して直交方向に位置決めされていると共に、めがねつるにストッパが設けられているため、耳との装着が良好に行われ、顔面への装着も確実化できる。
【図面の簡単な説明】
【図１】本発明によるアイマスクを示す斜視図である。
【図２】図１の要部を示す平面図である。
【図３】図２の断面図である。
【図４】図３の要部の拡大断面図である。
【図５】図１のストッパの分解図である。
【図６】図１のストッパの斜視図である。
【符号の説明】
１        本体
２        小孔
３        耳部
４        当て部材
６        補助耳部
７        めがねつる
７ａ      基部
９        突部
１０      穴
１０ａ    係止孔
１１      ０リング
１２      筒体
２０      ストッパ
【図１】
0003680089.tif 000002
【図２】
0003680089.tif 000003
【図３】
0003680089.tif 000004
【図４】
0003680089.tif 000005
【図５】
0003680089.tif 000006
【図６】
0003680089.tif 000007